(57)【要約】【課題】電気錠等のの配線を設置しても十分な防火性能を発揮することができる木製防火扉を提供する。【解決手段】木製の芯材２０を有すると共に電気配線１４を備えた木製防火扉１０において、前記芯材２０に前記電気錠の配線１４を配設する配線用空洞部１５を形成し、当該配線用空洞部１５内に前記配線１４を設置し且つ当該配線１４を囲むように所定温度で発泡する耐火性発泡材１６を設置する。【選択図】　　　　図１
2004108082.tif 000002
【特許請求の範囲】
【請求項１】
木製の芯材を有すると共に電気配線を備えた木製防火扉において、前記芯材に前記電気配線を配設する配線用空洞部を形成し、当該配線用空洞部内に前記電気配線を設置し且つ当該電気配線を囲むように所定温度で発泡する耐火性発泡材を設置したことを特徴とする木製防火扉。
【請求項２】
請求項１において、前記電気配線が電気錠の配線であることを特徴とする木製防火扉。
【請求項３】
請求項１又は２において、前記耐火性発泡材が発泡した際には、当該発泡した発泡部材によって前記配線用空洞部が埋まり、前記配線被覆の燃焼が防止されるようになっていることを特徴とする木製防火扉。
【請求項４】
請求項１〜３の何れかにおいて、前記芯材が、桐材を主体とするものであることを特徴とする木製防火扉。
【請求項５】
請求項１〜４の何れかにおいて、前記芯材が、桐集成材の３層クロス張りの積層板であることを特徴とする木製防火扉。
【請求項６】
請求項１〜５の何れかにおいて、前記芯材の表面には、耐火性部材を介して化粧合板が設けられていることを特徴とする木製防火扉。
【請求項７】
請求項１〜６の何れかにおいて、前記耐火性部材が、耐火塗料層、耐火シート、火山性ガラス繊維板、フェノールフォーム及び不燃紙から選択される少なくとも一種であることを特徴とする木製防火扉。
【請求項８】
請求項１〜７の何れかにおいて、前記扉の端面近傍にはグラファイト系発泡材がその長手方向に亘って設けられていることを特徴とする木製防火扉。
【発明の詳細な説明】
【０００１】
【発明の属する技術分野】
本発明は、桐材、有機質材料、及び無機質材料等を用いた木製防火扉に関する。
【０００２】
【従来の技術】
従来、特定防火設備６０としてはスチール製しか認められなかったので、防火扉は一般的にはスチール製である。スチール製の防火扉は頑丈であるが、重く、高熱で反ってしまい、また、輻射熱が大きい（木の５〜８倍）などの欠点を有する。
【０００３】
そこで、平成２年に甲種防火扉及び乙種防火扉の試験方法が改正され、一定条件を満たせば木製戸であっても特定防火設備６０若しくは特定防火設備２０として認可されるようになったことを契機として桐材を用いた木製防火扉が開発されている。
【０００４】
そして、桐の集成材を積層した桐積層板を用いたもの（特許文献１参照）、桐集成材と熱硬化性樹脂積層板とを積層したもの（特許文献２参照）、桐材と不燃紙とを組み合わせたもの（特許文献３参照）、桐材とフェノールフォームとを組み合わせたもの（特許文献４参照）、桐集成材に耐火シートを組み合わせたもの（特許文献５参照）、桐材と火山性ガラス繊維板とを組み合わせたもの（特許文献６参照）等が開発されている。また、桐材の反りを防止する構造（特許文献７参照）、災害時の脱出を容易にする構造（特許文献８参照）等が開発されている。
【０００５】
【特許文献１】
特開平７−２０８０３３号公報　（特許請求の範囲、図２）
【特許文献２】
特開平７−２５９４４５号公報　（特許請求の範囲、図２）
【特許文献３】
特開平７−２９３１２７号公報　（特許請求の範囲、図１）
【特許文献４】
特開平７−３２４５６１号公報　（特許請求の範囲、図１）
【特許文献５】
特開平９−２５６７４６号公報　（特許請求の範囲、図２）
【特許文献６】
特開２０００−１７９２４５号公報　（特許請求の範囲、図２）
【特許文献７】
特開２０００−３１００９０号公報　（特許請求の範囲、図１）
【特許文献８】
特開２００１−１７５６０号公報　（特許請求の範囲、図１）
【０００６】
【発明が解決しようとする課題】
ところで、近年、電気錠といわれる鍵が用いられるようになったが、防火扉に適用する場合には、電気配線の配置が問題となる。すなわち、従来の金属製の防火扉であれば、内部は空洞であるので、自由に配線を配置できるが、上述したような木製防火扉の場合には、電気配線を設置するために空洞部を設けると構造的な強度が低い部分ができてしまい、防火性能の面でも問題があった。
【０００７】
そこで、本発明は、このような事情に鑑み、電気錠等の電気配線を設置しても十分な防火性能を発揮することができる木製防火扉を提供することを課題とする。
【０００８】
【課題を解決するための手段】
前記課題を解決する本発明の第１の態様は、木製の芯材を有すると共に電気配線を備えた木製防火扉において、前記芯材に前記電気配線を配設する配線用空洞部を形成し、当該配線用空洞部内に前記電気配線を設置し且つ当該電気配線を囲むように所定温度で発泡する耐火性発泡材を設置したことを特徴とする木製防火扉にある。
【０００９】
本発明の第２の態様は、第１の態様において、前記電気配線が電気錠の配線であることを特徴とする木製防火扉にある。
【００１０】
本発明の第３の態様は、第１又は２の態様において、前記耐火性発泡材が発泡した際には、当該発泡した発泡部材によって前記配線用空洞部が埋まり、前記配線被覆の燃焼が防止されるようになっていることを特徴とする木製防火扉にある。
【００１１】
本発明の第４の態様は、第１〜３の何れかの態様において、前記芯材が、桐材を主体とするものであることを特徴とする木製防火扉にある。
【００１２】
本発明の第５の態様は、第１〜４の何れかの態様において、前記芯材が、桐集成材の３層クロス張りの積層板であることを特徴とする木製防火扉にある。
【００１３】
本発明の第６の態様は、第１〜５の何れかの態様において、前記芯材の表面には、耐火性部材を介して化粧合板が設けられていることを特徴とする木製防火扉にある。
【００１４】
本発明の第７の態様は、第１〜６の何れかの態様において、前記耐火性部材が、耐火塗料層、耐火シート、火山性ガラス繊維板、フェノールフォーム及び不燃紙から選択される少なくとも一種であることを特徴とする木製防火扉にある。
【００１５】
本発明の第８の態様は、第１〜７の何れかの態様において、前記扉の端面近傍にはグラファイト系発泡材がその長手方向に亘って設けられていることを特徴とする木製防火扉にある。
【００１６】
本発明は、木製防火扉の芯材に電気錠等の電気配線を設置するための配線用空洞部を形成しても、電気配線を所定の温度で発泡する耐火性発泡材で覆っておき、火災発生時に当該耐火性発泡材を発泡させるようにすると、配線用空洞部の強度低下は抑えられ、設計によってはむしろ強度が向上し、防火性能も配線を設置しないものと同等に保持できることを知見し、完成されたものである。
【００１７】
本発明によると、火災発生時には、配線用空洞部の電気配線の周囲の耐火性発泡材が発泡して配線用空洞部を埋めてしまうので、配線用空洞部を形成したことによる防火性能の低下を防止し、且つ電気配線の断線等を防止することができる。
【００１８】
本発明で電気配線（単に配線ともいう）とは、例えば、電気錠の配線であり、電力を供給する配線の他、電気的な信号を伝送するものもいう。したがって、電気錠以外に電気的な信号を伝送するための配線のみを設置することが必要な木製防火扉も本発明に含まれる。
【００１９】
また、一例とした電気錠の構造は特に限定されず、ドアノブのところに設けられるもの、ドアの上部や下部に設けられるものなど特に限定されないが、電気錠のところから木製防火扉の蝶番の部分まで配線を設置する必要があるものである。したがって、配線用空洞部は、木製防火扉の蝶番取り付け部から電気錠の取り付け位置まで設ければよく、直線状に設けても屈曲して設けてもよいことはいうまでもない。配線用空洞部の寸法は、配線が設置できるものであれば特に限定されず、例えば、一辺が０．５ｃｍ〜２ｃｍ程度の断面矩形の空洞部か直径０．５ｃｍ〜２ｃｍ程度の断面円形のものである。また、配線用空洞部は、芯材の防火特性を低減させないためには、芯材の厚さ方向中央近傍に設けるのが好ましいが、何れかの表面側に設けてもよい。なお、配線用空洞部の形成方法も特に限定されず、芯材を加工して形成してもよいし、例えば、芯材を、後述するように３層の積層構造とする場合には、積層する前に予め形成しておいてもよい。
【００２０】
また、本発明で電気錠の配線を囲むように配置した耐火性発泡材は、所定の温度、例えば、２００℃〜２５０℃程度で発泡し、このような温度で発泡した状態を保持できるものであり、例えば、シリコーン系発泡材、シリカ系発泡材を用いることができる。耐火性発泡材は、例えば、シート状のものを配線に巻き付けて設けてもよいし、又は配線とは別にまるめて若しくは断面三角や四角に折って配線用空洞部へ挿入してもよく、何れにしても配線をほぼ囲むように配置されていればよい。勿論、ペースト状のものを配線の周りに塗布して設けてもよいし、電気錠を製造する際等に予めコーティングして設けておいてもよいし、さらには、配線用空洞部の壁面に塗布して設けるようにしてもよい。耐火性発泡材は、発泡後の発泡部材が配線用空洞部を埋める程度に設ける必要があり、逆に、配線用空洞部は耐火性発泡材が発泡した発泡部材で埋まるような寸法に形成する。
【００２１】
ここで、芯材は、好ましくは、桐材を用いたものであれば基本的には限定されるものではないが、防火特性の点で問題なければ、他の木材を芯材としてもよい。また、芯材を桐材とする場合には、桐材として反りが出難いとされている品質の材料を用いるのが好ましい。また、芯材は、天然の桐から切り出した桐材又は桐の集成材の何れを用いてもよく、一枚物でも積層材でもよい。
【００２２】
一般的には桐の集成材を用いて複数枚積層して用いるのが好ましく、さらに、木目（繊維方向）を略直交するようにクロスさせて３層構造とした積層材が特に好ましい。
【００２３】
また、桐材は熱による反りが生じやすいので、面方向の四方、すなわち、扉の四辺を、桐材より堅く、反りにくい木材からなる補強部材で覆うようにする必要がある。補強部材としては、人工合板、Ｌ．Ｖ．Ｌなどを挙げることができる。なお、本発明では、このような補強部材を含めて芯材という。
【００２４】
このような配線用空洞部を設けた芯材を用いる以外は、木製防火扉の構造は特に限定されず、要求される防火性能に応じて従来からの公知の防火構造を有するものであればよい。
【００２５】
例えば、桐集成材と熱硬化性樹脂積層板とを積層したもの（特許文献２参照）、桐材と不燃紙とを組み合わせたもの（特許文献３参照）、桐材とフェノールフォームとを組み合わせたもの（特許文献４参照）、桐集成材に耐火シートを組み合わせたもの（特許文献５参照）、桐材と火山性ガラス繊維板とを組み合わせたもの（特許文献６参照）等を用いることができるが、桐の集成材を積層した桐積層板のみを用いたもの（特許文献１参照）でもよく、さらに、桐材の反りを防止する構造（特許文献７）を適用してもよい。
【００２６】
さらに、防火構造としては、従来から用いられているものではないが、耐火塗料を用いてもよい。ここで、耐火塗料は、防火塗料とも呼ばれ、木材に塗装膜を形成して不燃・難燃化するものであれば特に限定されないが、膨厚又は発泡して炭化層を形成するタイプを使用するのが好ましく、また、炭化層を形成後、芯材の温度上昇を５００℃以内、好ましくは４５０℃以内に抑えるものが好ましい。このような耐火塗料は、例えば、フレームガードジャパン社から、ＨＣＡ　ＴＲ、ＨＣＡ　ＭＬなどとして、また、日本環境研究所社から、ＪＥＲＩＣＯ　ＦＰなど、エスケー化研社から、ＳＫタイカコートなどとして、恒和化学工業社から、ＦＲＰなどとして上市されている。
【００２７】
このような耐火塗料は、従来、木製防火扉に用いられたことはないが、従来から知られている耐火性板や耐火シートなどを用いるより簡便に且つ高性能の木製防火扉を提供できる。但し、耐火塗料をそのまま芯材に塗布しても剥がれ落ちてしまい、例えば、特定防火設備の６０分耐火試験に合格することはできないが、この場合には、芯材に所定の脱落防止構造を設けることにより、所望の防火性能を得ることができる。
【００２８】
ここで、脱落防止構造としては、芯材の表面に設けられた脱落防止溝を挙げることができる。脱落防止溝は、芯材の表面に、例えば、格子状に設けられる溝である。かかる脱落防止溝は、芯材表面に耐火塗料が塗布される際に耐火塗料が埋め込まれ、火災時の剥がれ落ちを防止できるものであれば、特に限定されない。例えば、断面がＶ字状、半円形、矩形などの溝で、幅及び深さが１〜５ｍｍ程度、好ましくは、２〜４ｍｍ程度とする。また、溝のピッチは２〜５０ｃｍ、好ましくは、５〜３０ｃｍとする。
【００２９】
また、脱落防止構造の他の例としては、芯材の表面に設けられる耐火ネットを挙げることができる。耐火ネットは、例えば、ガラス繊維、セラミック繊維などの耐火性繊維をメッシュ状に形成したものである。このような耐火ネットを芯材の表面に固定すると、芯材の表面が凹凸面になり、耐火塗料層が剥がれ落ち難くなる。なお、耐火ネットは、タッカー針などの止め具により芯材表面に固定すればよい。
【００３０】
また、脱落防止構造の他の例としては、芯材の表面に耐火塗料層を設けた後、脱落防止合板を芯材に釘やタッカー針などの止め具で打ち付けて芯材と脱落防止合板とで耐火塗料層を挟持するようにしたものを挙げることができる。この場合、接着剤を併用し釘やタッカーで打ち付けて芯材に固定するのが好ましい。このようにすることにより、耐火塗料層は脱落防止合板により保持され、容易には脱落しなくなる。
【００３１】
本発明の木製防火扉の最外表面には化粧合板を設けるのが好ましい。化粧合板に用いる材質は、天然の木材で形成されていれば特に限定されず、勿論、天然の木材を用いて形成した集成材、積層材等であってもよい。化粧合板は、耐火塗料層の表面又は脱落防止合板の表面に、耐火性接着剤などを介して接合すればよい。
【００３２】
【発明の実施の形態】
以下本発明を実施形態に基づいて説明する。
【００３３】
（実施形態１）
図１は、本発明の一実施形態に係る木製防火扉の正面図であり、図２は、本発明の一実施形態に係る木製防火扉の概略斜視図である。また、図３は、本発明の一実施形態に係る木製防火扉の断面図であって、（ａ）は縦断面図であり、（ｂ）は横断面図である。
【００３４】
図１〜図３に示すように、本実施形態の木製防火扉１０は、複数の桐部材２１〜２３を積層した桐積層板２４と、その四方に設けられた補強部材２５とからなる芯材２０と、芯材２０の表面に設けられた耐火塗料層３０と、耐火塗料層３０の表面に接合された化粧合板４０とを具備する。また、木製防火扉１０は、３つの蝶番１１で取り付けられる構造となっており、ドアノブ１２の近傍に電気錠１３を具備する。そして、電気錠１３から一番上の蝶番１１のところまで、電気錠１３の配線１４が設置された配線用空洞部１５が設けられている。
【００３５】
ここで、桐積層板２４は、木目方向（繊維方向）が長手方向に一致した桐部材２１、２２との間に、桐部材２１、２２の木目方向と直交する方向である桐部材２３を挟持して積層した三層構造である。なお、この桐積層板２４を構成する桐部材２１〜２３は、それぞれ所定の大きさに形成されたものであってもよいし、短い寸法のものを複数枚継ぎ合わせたものであってもよい。このように桐部材２１〜２３の木目方向が略直交するようにクロス張りすることによって形成された桐積層板２４は効果的に反りの発生を防止することができる。
【００３６】
また、桐積層板２４の上下左右の端面には、桐材より堅い木材、本実施形態では合成合板からなる補強部材２５が設けられている。このように、桐積層板２４の四方を補強部材２５で囲って芯材２０としたので、反りをより確実に防止することができる。なお、補強部材２５の厚さ（扉の面方向の寸法）は、木製防火扉の防火性能によって異なるが、６０分防火試験を満足するためには、１５０ｍｍ厚程度のものが必要となる。
【００３７】
このような芯材２０には、上述した配線用空洞部１５が設けられている。この配線押空洞部１５は、一辺が約１ｃｍの断面正方形の穴で、本実施形態では電気錠１３のところから、蝶番１１を取り付ける部分の端面までほぼ直線状に設けられている。
【００３８】
また、このような配線用空洞部１５内に設置された配線１４の周囲には、耐火性発泡材１６が設けられている。本実施形態では、耐火性発泡材１６として、恒和化学工業社製のシリコーン系発泡材ＦＳ３００３ＺＥＲＰを用いた。この耐火性発泡材１６は、図４に示すようにシート状の発泡材であり、配線１４に巻き付けて設けた。これにより、配線用空洞部１５内では、配線１４を囲むように耐火性発泡材１６が設置されている。
【００３９】
かかる耐火性発泡材１６は、おおよそ２１０℃で発泡し、図５（ａ）に示す発泡前の状態から耐火性発泡材１６が発泡すると、図５（ｂ）に示すように、発泡部材１７が配線用空洞部１５を埋め尽くして封止するようになる。これにより、配線１４の被覆の燃焼が防止され、且つ芯材２０の強度が確保され、防火性能も保持される。
【００４０】
一方、本実施形態では、芯材２０の表面、すなわち、桐部材２１、２２及び補強部材２５の表面に、上下方向及び左右方向にそれぞれ延びる脱落防止溝５１が所定間隔で格子状に設けられている。ここで、上述した耐火塗料層３０は、この脱落防止溝５１に埋め込まれるように設けられているので、剥がれ落ちが防止される。これらの脱落防止溝５１は、本実施形態では、断面が幅が４ｍｍ×深さ２ｍｍの矩形とし、約５０ｃｍピッチで設けられている。
【００４１】
ここで、耐火塗料層３０は、例えば、恒和化学工業製、ＳＫ化研社製の耐火塗料を用いて、厚さ１〜２ｍｍ程度に形成した。
【００４２】
また、補強部材２５の扉端面側の表面には、発泡材３５が長手方向に亘って埋め込まれるように設けられており、発泡材３５を覆うように補強部材２５の扉端面側表面には大手材又は横手材となる化粧材４５が設けられている。
【００４３】
ここで、発泡材３５としては、例えば、２３０℃程度で厚さ方向に１０倍程度に膨張するグラファイト系発泡材を用いればよく、これにより間口との隙間を完全に塞ぐことができ、煙の流れを防止すると共に延焼を防止することができる。この発泡材３５は本実施形態では、防火扉の四方に設けたが、少なくとも三方の端面に設ければよい。また、化粧材４５は、場所によっては必要に応じて省略できるものである。
【００４４】
また、化粧合板４０は、耐火塗料層３０の表面に接合されており、本実施形態では、厚さ４ｍｍの化粧合板を用いた。なお、耐火塗料層３０と化粧合板４０との間は、耐火型接着剤等を塗布することによって形成した接着剤層３７が設けられている。
【００４５】
このように、本実施形態の木製防火扉１０は、配線用空洞部１５を設けて電気錠１３の配線１４を耐火性発泡材１６で覆って配線用空洞部１５内に設けたので、火災発生時には耐火性発泡材１６の発泡部材１７により配線用空洞部１５が埋められ、芯材２０の強度及び耐火性能が確保される。また、芯材２０の両側の表面に耐火塗料層３０が芯材２０の表面に設けられた脱落防止溝５１に埋め込まれるように設けられているので、火災発生時には、耐火塗料層３０が火や熱をトラップし、芯材２０が所定温度以上に加熱されないようにするので、優れた防火性能を発揮する。
【００４６】
図６（ａ）には他の実施形態に係る木製防火扉の要部断面図を示す。この実施形態では、配線用空洞部１５内に四角形状に折ったシート状の耐火性発泡材１６を配線と共に挿入したものであり、配線１４を囲むように耐火性発泡材１６が設置される。勿論、配線１４を挿入した後、耐火性発泡材１６を設置してもよいし、耐火性発泡材１６を挿入した後、配線１４を設置してもよい。なお、このような構造においても、火災発生時には、耐火性発泡材１６が発泡して発泡部材１７が配線１４と配線用空洞部１５との隙間を埋める点は上述した実施形態と同様である。
【００４７】
なお、上述した実施形態では、耐火塗料を用いた構造を一例として説明したが、木製防火扉の構造はこれに限定されない。また、配線用空洞部及び耐火性発泡材の構造、種類及び設置の仕方等も本発明の趣旨を変更しない範囲で自由に設定できることはいうまでもない。
【００４８】
【発明の効果】
以上説明したように、本発明によれば、木製防火扉の防火性能を低下させることなく電気錠等を採用することができるという効果を奏する。
【図面の簡単な説明】
【図１】本発明の一実施形態に係る木製防火扉の正面図である。
【図２】本発明の実施形態１に係る木製防火扉の概略斜視図である。
【図３】本発明の実施形態１に係る木製防火扉の断面図であって、（ａ）は縦断面図であり、（ｂ）は横断面図である。
【図４】本発明の一実施形態に係る木製防火扉に設置される電気錠の配線を示す概略斜視図である。
【図５】本発明の一実施形態に係る木製防火扉の配線用空洞部の断面図であって、（ａ）は非発泡時であり、（ｂ）は発泡時の図である。
【図６】本発明の他の実施形態に係る木製防火扉の配線用空洞部の断面図であって、（ａ）は非発泡時であり、（ｂ）は発泡時の図である。
【符号の説明】
１０　木製防火扉
１１　蝶番
１２　ドアノブ
１３　電気錠
１４　配線
１５　配線用空洞部
１６　耐火性発泡材
１７　発泡部材
２０　芯材
２１、２２、２３　桐部材
２４　桐積層板
２５　補強部材
３０　耐火塗料層
３５　発泡材
３７　接着剤層
４０　化粧合板
４５　化粧材
５１　脱落防止溝
【図１】
2004108082.tif 000003
【図２】
2004108082.tif 000004
【図３】
2004108082.tif 000005
【図４】
2004108082.tif 000006
【図５】
2004108082.tif 000007
【図６】
2004108082.tif 000008